(57)【要約】【課題】製造費用をさらに低減することが可能な電子体温計およびその製造方法を提供する。【解決手段】電子体温計１００は、サーミスタ１０と、制御基板２０と、表示部３０と、電源部４０と、サーミスタ１０、制御基板２０、表示部３０、および電源部４０を内部に形成された空間に配置するハウジング５０と、を備える。ハウジング５０は、当該電子体温計１００の長手方向に沿って延在する底面部５２Ｒ、底面部５２Ｒの周縁から起立する環状壁部５２Ｕ、および、環状壁部５２Ｕの起立方向の先端に設けられたフランジ部５２Ｋを有するケース体５２と、外周部がフランジ部５２Ｋに接合されるシート状部材５１と、を含む。シート状部材５１がケース体５２のフランジ部５２Ｋに接合されることによって、サーミスタ１０、制御基板２０、表示部３０、および電源部４０を配置する上記空間が形成される。【選択図】図１
2012150042.tif 000002
【特許請求の範囲】
【請求項１】
被測定者の体温を測定する電子体温計であって、
前記体温を測定する感温部、および、前記感温部に一端が接続されたリード線を含むサーミスタと、
前記リード線の他端が接続された制御基板と、
前記制御基板に接続され、前記サーミスタによって測定された前記体温を表示する表示部と、
前記制御基板に電力を供給する電源部と、
前記サーミスタ、前記制御基板、前記表示部、および前記電源部を内部に形成された空間に配置するハウジングと、を備え、
前記ハウジングは、
当該電子体温計の長手方向に沿って延在する底面部、前記底面部の周縁から起立する環状壁部、および、前記環状壁部の起立方向の先端に設けられたフランジ部を有するケース体と、
外周部が前記フランジ部に接合されるシート状部材と、を含み、
前記シート状部材が前記ケース体の前記フランジ部に接合されることによって、前記サーミスタ、前記制御基板、前記表示部、および前記電源部を配置する前記空間が形成される、
電子体温計。
【請求項２】
前記フランジ部および前記シート状部材の間の接合部には、凹凸が設けられている、
請求項１に記載の電子体温計。
【請求項３】
前記感温部は、当該電子体温計の前記長手方向の一端に配置され、
前記リード線は、前記感温部から当該電子体温計の他端側に向かって延在し、
前記フランジ部および前記シート状部材の間の接合部のうち、前記感温部および前記リード線の周囲に位置する部分に前記凹凸が設けられている、
請求項２に記載の電子体温計。
【請求項４】
請求項２または３に記載の電子体温計の製造方法であって、
前記凹凸は、前記シート状部材が前記ケース体の前記フランジ部に接合される際に、または前記シート状部材が前記ケース体の前記フランジ部に接合された後に形成される、
電子体温計の製造方法。
【発明の詳細な説明】
【技術分野】
【０００１】
本発明は電子体温計およびその製造方法に関する。
【背景技術】
【０００２】
体温計は、腋下または舌下等に挟み込まれた状態で被測定者の体温を測定する。下記の特許文献１〜５に開示されるように、さまざまな種類の体温計が知られている。
【０００３】
特許文献１は、プローブ部がフィルム状の部材で形成された電子体温計を開示している。特許文献２は、検温部近くの本体くびれ部に、触感部を設けた体温計を開示している。特許文献３は、本体ケースのセンサ部付近に、凹凸からなるすべり止め部を設けた電子体温計を開示している。
【０００４】
特許文献４は、サブケースの幅広面に対して各部品の組付方向が垂直一方向であり、内部構成部材が自動組立によりサブケースユニットとして組み付けられる電子体温計を開示している。特許文献５は、温度センサおよび内部部品を筐体の内部に取り付けるために筐体に設けられた開口部が、長手方向に沿って温度センサの配置領域から内部部品の配置領域までを含む領域を開放する大きさで形成されるように分割された電子体温計を開示している。
【先行技術文献】
【特許文献】
【０００５】
【特許文献１】実開昭６１−４０６３６号公報
【特許文献２】実開平１−１６７６３５号公報
【特許文献３】実開昭６０−１０４７３８号公報
【特許文献４】特開平１０−４８０６０号公報
【特許文献５】特開２００９−３００３１０号公報
【発明の概要】
【発明が解決しようとする課題】
【０００６】
上記の特許文献１〜３に開示された発明においては、電子体温計の製造費用を低減するという観点については何ら配慮されていない。上記の特許文献４に開示された発明においては、サブケースへの部品の組み付け方向が一方向であり、サブケースが自動化により組み立て可能に構成されている。しかしながら、サーミスタの本体ケースに対する挿入方向は、サブケースの組み付け方向と直交する方向である。電子体温計の全体としての組み付け方向は一方向ではない。特許文献５に開示された発明においては、製造費用の低減という点においてさらなる改善の余地がある。
【０００７】
本発明は、上記の実情に鑑みて為されたものであって、製造費用をさらに低減することが可能な電子体温計およびその製造方法を提供することを目的とする。
【課題を解決するための手段】
【０００８】
本発明に基づく電子体温計は、測定者の体温を測定する電子体温計であって、上記体温を測定する感温部、および、上記感温部に一端が接続されたリード線を含むサーミスタと、上記リード線の他端が接続された制御基板と、上記制御基板に接続され、上記サーミスタによって測定された上記体温を表示する表示部と、上記制御基板に電力を供給する電源部と、上記サーミスタ、上記制御基板、上記表示部、および上記電源部を内部に形成された空間に配置するハウジングと、を備え、上記ハウジングは、当該電子体温計の長手方向に沿って延在する底面部、上記底面部の周縁から起立する環状壁部、および、上記環状壁部の起立方向の先端に設けられたフランジ部を有するケース体と、外周部が上記フランジ部に接合されるシート状部材と、を含み、上記シート状部材が上記ケース体の上記フランジ部に接合されることによって、上記サーミスタ、上記制御基板、上記表示部、および上記電源部を配置する上記空間が形成される。
【０００９】
好ましくは、上記フランジ部および上記シート状部材の間の接合部には、凹凸が設けられている。
【００１０】
好ましくは、上記感温部は、当該電子体温計の上記長手方向の一端に配置され、上記リード線は、上記感温部から当該電子体温計の他端側に向かって延在し、上記フランジ部および上記シート状部材の間の接合部のうち、上記感温部および上記リード線の周囲に位置する部分に上記凹凸が設けられている。
【００１１】
本発明に基づく電子体温計の製造方法は、本発明に基づく上記の電子体温計の製造方法であって、上記凹凸は、上記シート状部材が上記ケース体の上記フランジ部に接合される際に、または上記シート状部材が上記ケース体の上記フランジ部に接合された後に形成される。
【発明の効果】
【００１２】
本発明によれば、製造費用をさらに低減することが可能な電子体温計およびその製造方法を得ることができる。
【図面の簡単な説明】
【００１３】
【図１】実施の形態１における電子体温計を分解して示す斜視図である。
【図２】実施の形態１における電子体温計の組み立てた状態を示す斜視図である。
【図３】図２中のＩＩＩ−ＩＩＩ線に関する矢視断面図である。
【図４】実施の形態１における電子体温計の機能ブロックを示す図である。
【図５】実施の形態１の変形例における電子体温計を示す断面図である。
【図６】実施の形態２における電子体温計を示す斜視図である。
【図７】図６中のＶＩＩ線に囲まれる領域を拡大して示す斜視図である。
【図８】実施の形態２における電子体温計に設けられた凹凸の他の形態を示す斜視図である。
【図９】実施の形態２における電子体温計に設けられた凹凸のさらに他の形態を示す斜視図である。
【図１０】実施の形態２における電子体温計の第１変形例を示す斜視図である。
【図１１】実施の形態２における電子体温計の第２変形例を示す斜視図である。
【図１２】実施の形態２における電子体温計の製造方法の一例を示す斜視図である。
【発明を実施するための形態】
【００１４】
本発明に基づいた各実施の形態について、以下、図面を参照しながら説明する。各実施の形態の説明において、個数、量などに言及する場合、特に記載がある場合を除き、本発明の範囲は必ずしもその個数、量などに限定されない。各実施の形態の説明において、同一の部品、相当部品に対しては、同一の参照番号を付し、重複する説明は繰り返さない場合がある。特に制限が無い限り、各実施の形態に示す構成に示す構成を適宜組み合わせて用いることは、当初から予定されていることである。
【００１５】
［実施の形態１］
図１から図４を参照して、本実施の形態における電子体温計１００について説明する。図１は、電子体温計１００が分解された状態を示す斜視図である。図２は、電子体温計１００が組み立てられた状態を示す斜視図である。図３は、図２中のＩＩＩ−ＩＩＩ線に関する矢視断面図である。図４は、電子体温計１００の機能ブロックを示す図である。
【００１６】
図１に示すように、電子体温計１００は、サーミスタ１０、制御基板２０、表示部３０、電源部４０、およびハウジング５０を備える。図２に示すように、電子体温計１００が組み立てられた状態においては、電子体温計１００の一端側（先端側）にプローブ部８２が形成される。
【００１７】
図１を再び参照して、サーミスタ１０は、いわゆるラジアルリード型であり、被測定者の体温を計測する感温部１１と、一端が感温部１１に接続されたリード線１２とを含む。リード線１２の他端は、制御基板２０に接続される。
【００１８】
制御基板２０は、所定の位置に、操作部（図４における操作部２１）、制御部（図４における制御部２２）、メモリ部（図４におけるメモリ部２３）、および報知部（図４における報知部２４）を有する。操作部は、制御基板２０の表面の所定の位置（制御基板２０の側面または裏面など）に、外部から押圧可能に配置される。
【００１９】
表示部３０は、配線６１によって制御基板２０に接続される。表示部３０は、たとえばＬＣＤ（Liquid Crystal Display）などの表示パネル３１を有する。表示パネル３１に、サーミスタ１０によって測定された被験者の体温などが表示される。
【００２０】
電源部４０は、ボタン電池４２および対向配置された電極端子４１を有する。対向配置された電極端子４１同士は、樹脂４３によって相互に位置決めされる。電極端子４１は、配線６２によって制御基板２０に接続される。ボタン電池４２は、電極端子４１間に配置され、電極端子４１および配線６２を通して、制御基板２０に電力を供給する。
【００２１】
電子体温計１００においては、電子体温計１００（ハウジング５０）の長手方向に沿って、サーミスタ１０、制御基板２０、表示部３０、および電源部４０がこの順に並んで配置される。この順序は適宜変更されてもよい。
【００２２】
ハウジング５０は、シート状部材５１およびケース体５２を有する。シート状部材５１は、たとえば、紙またはポリエチレンフィルムなどからなる基材層と、基材層の下面側に配置されたシーラント層と、基材層の上面側に配置されたＰＥＴ層（Polyethylene Terephthalate層）とが積層されることによって構成される。
【００２３】
シート状部材５１の厚さは、たとえば０．１ｍｍ〜０．３ｍｍである。ＰＥＴ層の基材層側の面に、所定の銘板が貼付または印刷されることができる。シート状部材５１は、裁断などによって製造されることができる。シート状部材５１は、サーミスタ１０が配置される側（プローブ部８２側）に向かって徐々に幅が狭くなるように略テーパー状に構成される。
【００２４】
シート状部材５１には、表示パネル３１を外部から視認するための開口部５１Ｈが設けられる。開口部５１Ｈ内には、樹脂などから構成される透明保護部材５６が配置される。なお、シート状部材５１が透明性を有する場合、開口部５１Ｈおよび透明保護部材５６は不要である。表示パネル３１を外部から視認するための開口部５１Ｈは、次述するケース体５２に設けられてもよい。この場合、表示部３０の表示パネル３１は、ケース体５２側に向かって配置される（図１とは表裏反対に示すように配置される）。
【００２５】
ケース体５２は、たとえばＰＥＴ、ＰＶＣ（polyvinyl chloride）、ＰＥ（polyethylene）、またはＰＰ（polypropylene）等の熱可塑性を有する部材から、真空成形などによって容器状に構成される。ケース体５２の厚さは、たとえば０．５ｍｍ〜１．０ｍｍである。
【００２６】
図１および図３を参照して、ケース体５２は、電子体温計１００の長手方向に沿って延在する底面部５２Ｓ，５２Ｒ、底面部５２Ｓ，５２Ｒの周縁から起立する環状壁部５２Ｕ、および、環状壁部５２Ｕの起立方向の先端に設けられたフランジ部５２Ｋを有する。本実施の形態におけるフランジ部５２Ｋは、環状壁部５２Ｕの起立方向の先端からケース体５２の外側に向かって延設され、全体として環状を呈している。
【００２７】
底面部５２Ｓは、電子体温計１００の一端側（先端側）に位置する。底面部５２Ｒは、底面部５２Ｓに連続し、電子体温計１００の他端側（後端側）に位置する。プローブ部８２（図２参照）が被測定者の腋下または舌下等に向かって挿入され易いように、底面部５２Ｓは底面部５２Ｒに比べて底浅に形成されている（底上げされている）。
【００２８】
底面部５２Ｓの略中央には、電子体温計１００の長手方向に沿って長溝５２Ｔが設けられる。電子体温計１００が組み立てられた状態においては、長溝５２Ｔに、サーミスタ１０（感温部１１およびリード線１２）が収容される。長溝５２Ｔは、必要に応じて設けられるとよい。
【００２９】
底面部５２Ｒには、区画壁５２Ｍ，５２Ｎが立設される。区画壁５２Ｍと底面部５２Ｓの後端との間に、制御基板２０が配置される。区画壁５２Ｍと区画壁５２Ｎとの間に表示部３０が配置され、区画壁５２Ｎと環状壁部５２Ｕとに囲まれる領域に電源部４０が配置される。電子体温計１００が組み立てられた状態において、制御基板２０、表示部３０および電源部４０の位置ずれは抑制される。
【００３０】
ケース体５２における環状壁部５２Ｕおよびフランジ部５２Ｋは、ケース体５２に対してサーミスタ１０、制御基板２０、表示部３０、および電源部４０が一方向（図１中の矢印参照）に収容可能なように、これらが収容される側に向かって開口を形成している。
【００３１】
電子体温計１００が組み立てられる際には、サーミスタ１０、制御基板２０、表示部３０、および電源部４０がケース体５２内に配置される。その状態で、シート状部材５１がケース体５２のフランジ部５２Ｋに接合される。当該接合によって、サーミスタ１０、制御基板２０、表示部３０、および電源部４０が略気密状に封止された空間５３（図３参照）が形成される。
【００３２】
シート状部材５１とフランジ部５２Ｋとを相互に接合するためには、シート状部材５１とケース体５２のフランジ部５２Ｋとが対向するように配置される。この状態で、シート状部材５１とフランジ部５２Ｋとの接触部に超音波が付与される。付与された超音波により、シート状部材５１（シーラント層など）が一時的に溶解する。当該溶解によって、シート状部材５１がケース体５２のフランジ部５２Ｋに溶着（圧着）される。
【００３３】
図４を参照して、上述したように、電子体温計１００は、感温部１１、操作部２１、制御部２２、メモリ部２３、報知部２４、表示部３０、および電源部４０を、機能ブロックとして含む。操作部２１、制御部２２、メモリ部２３、および報知部２４は、制御基板２０に設けられる。
【００３４】
感温部１１は、腋下や舌下などの被測定部位に挟み込まれることで被測定者の体温を検出する。操作部２１は、たとえば押し釦から構成され、被測定者（または電子体温計１００の使用者）による操作を受け付けて、この外部からの命令を制御部２２または電源部４０に入力する。制御部２２は、たとえばＣＰＵ（Central Processing Unit）から構成され、電子体温計１００の全体を制御する。
【００３５】
メモリ部２３は、たとえばＲＯＭ（Read-Only Memory）またはＲＡＭ（Random-Access Memory）から構成され、体温測定のための処理手順を制御部２２などに実行させるためのプログラムを記憶したり、測定結果などを記憶したりする。報知部２４は、たとえばブザーから構成され、測定が終了したことや被測定者の操作を受け付けたことなどを被測定者に知らせる。報知部２４は、必要に応じて設けられるとよい。
【００３６】
表示部３０は、たとえばＬＣＤ（Liquid Crystal Display）などの表示パネル３１（図１参照）を含み、測定結果などを表示する。電源部４０は、たとえばボタン電池４２（図１参照）を含み、制御部２２に電源としての電力を供給する。
【００３７】
制御部２２は、体温測定を実行するための処理回路を含んでおり、メモリ部２３から読み出されたプログラムに基づいて体温を測定する。その際、制御部２２は、感温部１１から入力された温度データを処理することで測定結果としての体温を算出する。制御部２２は、算出した体温を表示部３０に表示させたり、算出した体温をメモリ部２３に記憶させたり、測定が終了したことを、報知部２４を用いて被測定者に知らせたりするように、電子体温計１００を制御する。
【００３８】
（作用・効果）
電子体温計１００のハウジング５０は、シート状部材５１およびケース体５２から簡素に構成される。シート状部材５１は、ＰＥＴ等から構成される極めて薄い部材である。シート状部材５１は、その厚さが薄く且つ裁断などによって製造されるため、安価に準備されることができる。ケース体５２も、ＰＥＴ等から真空成形などによって構成される極めて薄い部材であるため、安価に準備されることができる。電子体温計１００によれば、筐体の全部が成形樹脂から構成される一般的ないわゆるペンシル型の電子体温計に比べて、製造費用を低減することができる。
【００３９】
電子体温計１００が安価に製造されるため、電子体温計１００は、いわゆるディスポーザブルタイプとして使用されるのに適している。ディスポーザブルタイプであれば、たとえば医療現場などにおいて、電子体温計１００が使用される毎（若しくは所定の使用回数毎に）に廃棄される。電子体温計１００によれば、廃棄毎に発生する使用者側または被測定者側の費用負担も軽減することが可能である。
【００４０】
電子体温計１００においては、ケース体５２における環状壁部５２Ｕおよびフランジ部５２Ｋが、ケース体５２に対してサーミスタ１０、制御基板２０、表示部３０、および電源部４０が一方向（図１中の矢印参照）に収容可能なように、これらが収容される側に向かって開口を形成している。当該開口に対して、サーミスタ１０、制御基板２０、表示部３０、および電源部４０は一方向に容易に組み付けられることができる。電子体温計１００によれば、組み付け作業の自動化を図ることも可能となり、さらなる製造費用の低減が可能となる。
【００４１】
［実施の形態１の変形例］
上述の実施の形態１におけるフランジ部５２Ｋは、環状壁部５２Ｕの起立方向の先端からケース体５２の外側に向かって延設される。
【００４２】
図５を参照して、フランジ部５２Ｋは、環状壁部５２Ｕの起立方向の先端からケース体５２の内側に向かって延設されていてもよい。当該構成によっても、上述の実施の形態１と同様の作用および効果を得ることができる。
【００４３】
［実施の形態２］
図６は、本実施の形態における電子体温計１０１を示す斜視図である。図７は、図６中のＶＩＩ線に囲まれた領域を拡大して示す斜視図である。図６および図７に示すように、フランジ部５２Ｋおよびシート状部材５１の間の接合部には、凹凸５９が設けられていてもよい。本実施の形態においては、フランジ部５２Ｋおよびシート状部材５１の間の接合部の全周にわたって凹凸５９が設けられる。
【００４４】
ここでいう凹凸５９とは、図７に示すような表面が滑らかに形成された波形状を呈する凹凸５９に限られない。ここでいう凹凸５９とは、図８に示すような表面が角張った三角波形状を呈する凹凸５９、図９に示すような表面が角張った矩形波形状を呈する凹凸５９、およびこれらの組み合わせを含むものである。
【００４５】
図１０の電子体温計１０２に示すように、凹凸５９は、フランジ部５２Ｋおよびシート状部材５１の間の接合部の一部に設けられてもよい。電子体温計１０２においては、フランジ部５２Ｋおよびシート状部材５１の間の接合部のうち、プローブ部８２（感温部１１およびリード線１２の周囲に位置する部分）を形成する部分にのみ凹凸５９が設けられている。
【００４６】
図１１の電子体温計１０３に示すように、凹凸５９は、フランジ部５２Ｋおよびシート状部材５１の間の接合部のうち、表示パネル３１が配設される側（ハウジング５０の後端側）にのみ設けられてもよい。表示パネル３１が配設される側は、一般的に被測定者等によって把持される部分である。
【００４７】
電子体温計１０１（図６参照）および電子体温計１０２（図１０参照）のように、プローブ部８２を形成する部分に凹凸５９が設けられる場合、被測定者は、プローブ部８２が被測定部に適切に挟まれているか否かを感覚的に把握することが可能となる。シート状部材５１およびケース体５２は極めて薄く柔軟な部材から構成されるが、凹凸５９の存在によって、被測定者はプローブ部８２を適切な位置に配置することができる。その結果、被測定者は体温を精度高く正確に測定することが可能となる。特に、電子体温計１０１，１０２は、腋下に挟まれて使用される場合に好適である。
【００４８】
また、電子体温計１０１（図６参照）および電子体温計１０３（図１１参照）のように、表示パネル３１が配設される側（被測定者等によって把持される部分）に凹凸５９が設けられる場合、凹凸５９はすべり止め効果を発揮する。電子体温計１０１，１０３によれば、使用者への手触り感または肌触り感を向上させる。電子体温計１０１，１０３は、被測定者等が持ち易く、また落としてしまうこともない。
【００４９】
電子体温計１０１〜１０３の製造方法として、凹凸５９は、フランジ部５２Ｋおよびシート状部材５１を超音波溶着する際に形成されてもよい。この場合、凹凸５９の形状に対応した金型を使用して、フランジ部５２Ｋおよびシート状部材５１が圧着されることで、凹凸５９が形成される。圧着時に凹凸５９が形成されることで、フランジ部５２Ｋおよびシート状部材５１の接合力（貼り合せ強度）が向上する。その結果、電子体温計１０１〜１０３の防水性も向上する。
【００５０】
図１２を参照して、電子体温計１０１の製造方法として、凹凸５９は、予めシート状部材５１に形成されていてもよい。この場合、凹凸５９に対応する凹凸５８が、ケース体５２のフランジ部５２Ｋに形成される。凹凸５８，５９によって、フランジ部５２Ｋおよびシート状部材５１を接合する際に、フランジ部５２Ｋおよびシート状部材５１の位置決めが容易となる。電子体温計１０２（図１０参照），１０３（図１１参照）についても同様である。
【００５１】
以上、本発明に基づいた各実施の形態について説明したが、今回開示された各実施の形態はすべての点で例示であって制限的なものではない。本発明の技術的範囲は特許請求の範囲によって示され、特許請求の範囲と均等の意味および範囲内でのすべての変更が含まれることが意図される。
【符号の説明】
【００５２】
１０  サーミスタ、１１  感温部、１２  リード線、２０  制御基板、２１  操作部、２２  制御部、２３  メモリ部、２４  報知部、３０  表示部、３１  表示パネル、４０  電源部、４１  電極端子、４２  ボタン電池、４３  樹脂、５０  ハウジング、５１  シート状部材、５１Ｈ  開口部、５２  ケース体、５２Ｋ  フランジ部、５２Ｍ，５２Ｎ  区画壁、５２Ｒ，５２Ｓ  底面部、５２Ｔ  長溝、５２Ｕ  環状壁部、５３  空間、５６  透明保護部材、５８，５９  凹凸、６１  配線、６２  配線、８２  プローブ部、１００〜１０３  電子体温計。
【図１】
2012150042.tif 000003
【図２】
2012150042.tif 000004
【図３】
2012150042.tif 000005
【図４】
2012150042.tif 000006
【図５】
2012150042.tif 000007
【図６】
2012150042.tif 000008
【図７】
2012150042.tif 000009
【図８】
2012150042.tif 000010
【図９】
2012150042.tif 000011
【図１０】
2012150042.tif 000012
【図１１】
2012150042.tif 000013
【図１２】
2012150042.tif 000014